(57)【特許請求の範囲】
【請求項１】
上枠、下枠および縦枠を枠組みして構成された枠体と、二つ折り可能に構成されて前記枠体内に開閉可能に取り付けられた戸本体とを備えた折戸であって、
前記枠体の上枠には、上枠に沿ってレールが設けられ、このレールの両端部には切欠部が形成され、
前記戸本体の両端には縦框が設けられ、各縦框の上端部には上戸車が設けられ、
前記上戸車は、
縦框の上端部に取り付けられたケースと、
このケースに対して上下方向に移動可能にかつこの上下方向を回転軸として回動可能に収納されたガイドホルダと、
前記ケース内に配置されて前記ガイドホルダを上方に付勢する付勢手段と、
前記縦框表面側に露出し、かつ、前記ガイドホルダを前記付勢手段の付勢力に抗して下方に移動可能な操作部材と、
前記ガイドホルダに対して着脱可能に取り付けられたガイド片とを備えて構成され、
前記ガイドホルダは、
円筒状に形成されて前記ケースに対して上下方向に移動可能にかつ回動可能に設けられ、かつ、その内部に前記各ガイド片が着脱可能に取り付けられるホルダ本体と、
前記ホルダ本体の下方に設けられた円板状のフランジと、
フランジから下方に向かって延長され、かつケース下面に係合されてガイドホルダがケースから外れることを防止する係止軸部とを備え、
前記付勢手段は、前記フランジおよびケース下面間に介在されたバネで構成され、
前記操作部材は、前記フランジの上面に係合する係合突起を備え、
前記ガイド片は、前記ガイドホルダ内に挿入されて取り付けられる取付部と、前記ガイドホルダの上面に配置される上面プレート部とを備えて構成され、
一方の縦框に設けられた上戸車の前記ガイド片は、一端側のみがガイド片側面に開口され、他端は係止壁部で塞がれている吊元用ガイド溝が上面に形成され、この吊元用ガイド溝に前記上枠のレールが配置されて前記係止壁部が前記切欠部に当接することで前記レールに対して移動不能に形成された吊元側ガイド片とされ、
他方の縦框に設けられた上戸車の前記ガイド片は、両端がガイド片側面に開口された可動用ガイド溝が上面に形成され、この可動用ガイド溝に前記上枠のレールが配置されて前記レールに沿って移動可能に形成された可動側ガイド片とされている折戸。
【請求項２】
上枠、下枠および縦枠を枠組みして構成された枠体と、二つ折り可能に構成されて前記枠体内に開閉可能に取り付けられた戸本体とを備えた折戸であって、
前記枠体の上枠には、上枠に沿ってレールが設けられ、このレールの両端部には切欠部が形成され、
前記戸本体の両端には縦框が設けられ、各縦框の上端部には上戸車が設けられ、
前記上戸車は、
縦框の上端部に取り付けられたケースと、
このケースに対して上下方向に移動可能にかつこの上下方向を回転軸として回動可能に収納されたガイドホルダと、
前記ケース内に配置されて前記ガイドホルダを上方に付勢する付勢手段と、
前記縦框表面側に露出し、かつ、前記ガイドホルダを前記付勢手段の付勢力に抗して下方に移動可能な操作部材と、
前記ガイドホルダに対して着脱可能に取り付けられ、かつ、上面に、一端側のみがガイド片側面に開口され、他端は係止壁部で塞がれている吊元用ガイド溝と、両端がガイド片側面に開口された可動用ガイド溝とが形成されたガイド片とを備えて構成され、
前記ガイドホルダは、
円筒状に形成されて前記ケースに対して上下方向に移動可能にかつ回動可能に設けられ、かつ、その内部に前記各ガイド片が着脱可能に取り付けられるホルダ本体と、
前記ホルダ本体の下方に設けられた円板状のフランジと、
フランジから下方に向かって延長され、かつケース下面に係合されてガイドホルダがケースから外れることを防止する係止軸部とを備え、
前記付勢手段は、前記フランジおよびケース下面間に介在されたバネで構成され、
前記操作部材は、前記フランジの上面に係合する係合突起を備え、
前記ガイド片は、前記ガイドホルダ内に挿入されて取り付けられる取付部と、前記ガイドホルダの上面に配置される上面プレート部とを備えて構成され、
一方の縦框に設けられた上戸車の前記ガイド片は、ガイドホルダに対して前記吊元用ガイド溝が前記上枠のレールに対して平行となる向きに取り付けられ、前記吊元用ガイド溝に前記レールが配置されて前記係止壁部が前記切欠部に当接することで前記レールに対して移動不能に形成された吊元側ガイド片とされ、
他方の縦框に設けられた上戸車の前記ガイド片は、ガイドホルダに対して前記可動用ガイド溝が前記上枠のレールに対して平行となる向きに取り付けられ、前記可動用ガイド溝に前記レールが配置されて前記レールに沿って移動可能に形成された可動側ガイド片とされている折戸。
【請求項３】
前記ガイド片は、上面に前記吊元用ガイド溝および可動用ガイド溝が互いに直交して形成されている請求項２に記載の折戸。
【発明の詳細な説明】
【技術分野】
【０００１】
本発明は、浴室や各居室の出入り口等に設けられる二つ折り可能な戸本体（扉）を有する折戸に関する。
【背景技術】
【０００２】
従来から、浴室と脱衣室との間に設置される折戸が知られている（例えば特許文献１）。この特許文献１の折戸は、方形状に枠組みした枠体に、二つ折り可能な戸本体を取り付けたものである。枠体の上枠内には上枠の軌道に沿って摺動可能に支持された摺動部材を２つ設け、戸本体の上側の二隅に上側基台を設けている。そして、上側基台の連結部を各摺動部材に回転可能にかつ摺動方向に移動できないように連結し、一方の摺動部材を上枠の端部にビスで固定することで回転軸側とし、他方の摺動部材を上枠に沿って移動可能にすることで戸本体を二つ折りして開いたり、閉じたりすることができるように構成していた。
【０００３】
【特許文献１】特許第３０８５６４５号公報
【発明の開示】
【発明が解決しようとする課題】
【０００４】
ところで、近年では、浴室内での不測の事故が発生した際に浴室内の人を救出できるように、戸本体が施錠されている場合でも、脱衣室側から戸本体を取り外すことができるように構成することが求められている。
しかしながら、前記特許文献１では、回転軸側とされた摺動部材のビスを外して摺動部材の位置をずらさないと戸本体を摺動部材から取り外すことができない。このため、戸本体が施錠されている場合、脱衣室側から戸本体を取り外すことができないという問題があった。
【０００５】
また、回転軸側とされた摺動部材は上枠にビス止めしなければならず、その分、現場での施工作業性が低下するという問題もあった。
【０００６】
このような問題は、浴室ドアに限らず、食事室、応接室、寝室等の各部屋の出入り口等に設けられる折戸においても共通する問題であった。
【０００７】
本発明の目的は、施工作業を容易に行うことができ、かつ、緊急時に部屋の外側から戸本体をドア枠に対して取り外すことができる折戸を提供することにある。
【課題を解決するための手段】
【０００８】
本発明の折戸は、上枠、下枠および縦枠を枠組みして構成された枠体と、二つ折り可能に構成されて前記枠体内に開閉可能に取り付けられた戸本体とを備えた折戸であって、前記枠体の上枠には、上枠に沿ってレールが設けられ、このレールの両端部には切欠部が形成され、前記戸本体の両端には縦框が設けられ、各縦框の上端部には上戸車が設けられ、前記上戸車は、縦框の上端部に取り付けられたケースと、このケースに対して上下方向に移動可能にかつこの上下方向を回転軸として回動可能に収納されたガイドホルダと、前記ケース内に配置されて前記ガイドホルダを上方に付勢する付勢手段と、前記縦框表面側に露出し、かつ、前記ガイドホルダを前記付勢手段の付勢力に抗して下方に移動可能な操作部材と、前記ガイドホルダに対して着脱可能に取り付けられたガイド片とを備えて構成され、前記ガイドホルダは、円筒状に形成されて前記ケースに対して上下方向に移動可能にかつ回動可能に設けられ、かつ、その内部に前記各ガイド片が着脱可能に取り付けられるホルダ本体と、前記ホルダ本体の下方に設けられた円板状のフランジと、フランジから下方に向かって延長され、かつケース下面に係合されてガイドホルダがケースから外れることを防止する係止軸部とを備え、前記付勢手段は、前記フランジおよびケース下面間に介在されたバネで構成され、前記操作部材は、前記フランジの上面に係合する係合突起を備え、前記ガイド片は、前記ガイドホルダ内に挿入されて取り付けられる取付部と、前記ガイドホルダの上面に配置される上面プレート部とを備えて構成され、一方の縦框に設けられた上戸車の前記ガイド片は、一端側のみがガイド片側面に開口され、他端は係止壁部で塞がれている吊元用ガイド溝が上面に形成され、この吊元用ガイド溝に前記上枠のレールが配置されて前記係止壁部が前記切欠部に当接することで前記レールに対して移動不能に形成された吊元側ガイド片とされ、他方の縦框に設けられた上戸車の前記ガイド片は、両端がガイド片側面に開口された可動用ガイド溝が上面に形成され、この可動用ガイド溝に前記上枠のレールが配置されて前記レールに沿って移動可能に形成された可動側ガイド片とされていることを特徴とする。
【０００９】
ここで、折戸としては、少なくとも二つ折り可能な戸本体を備えていればよく、例えば、この二つ折り可能な戸本体に対してレールに沿ってスライド移動可能な引戸が連結されたものでもよい。
また、上枠のレールの切欠部とは、レールの端部近傍に、所定幅寸法の切り込み（凹部）を設け、その切り込み部分を切欠部としてもよいし、レールの端部を縦枠まで延長せずに所定の幅寸法の隙間を設け、その隙間部分を切欠部としてもよい。要するに、前記切欠部は、吊元側ガイド片の係止壁部を配置可能に構成されていればよい。
【００１０】
本発明では、上枠のレールに切欠部を設けているので、吊元用ガイド溝を有する吊元側ガイド片を前記レールの切欠部に係合させるだけで吊元側ガイド片すなわち一方の縦框をレールに沿った方向に移動不能にできる。このため、摺動部材を上枠にビス止めする必要がないため、現場施工作業を簡略化できる。
一方、可動用ガイド溝を有する可動側ガイド片は、レールに沿って移動可能であり、かつガイド片が取り付けられるガイドホルダはケースに対して回動自在であるため、可動側ガイド片をレールに沿って移動しながら、戸本体を二つ折りして開閉することができる。
また、操作部材を下方に移動すれば、前記ガイドホルダおよびガイド片も下方に移動してレールから外すことができるので、戸本体を枠体から容易に取り外すことができる。
さらに、各ガイド片は、ガイドホルダに対して着脱可能であるため、ガイドホルダや操作部材を取り外すことなく各ガイド片のみを交換することで、吊元側および可動側の縦框の変更も容易に行え、また、ガイド片を現場で取り付けるようにすれば、ガイドホルダ、ケース、操作部材は、各縦框で共通化できるので、左右のどちらを吊元側にする戸本体でも同一構造にでき、戸本体の生産性を向上できる。
その上、付勢手段であるバネによって上方に付勢されているガイドホルダは、係止軸部によってその上方への抜け止めがなされているので、例えば、工場において、戸本体の縦框にケース、バネ、ガイドホルダを組み込んだ状態で、戸本体を輸送、設置でき、作業性や取扱い性を向上できる。
また、ガイドホルダに円板状のフランジが形成されているので、縦框の内周面に沿ってガイドホルダが回動しても、前記操作部材の係合突起は常にフランジに係合する位置に配置できる。さらに、操作部材は、その係合突起をフランジに係合させるだけでよいので、操作部材の構成も簡略化できる。
【００１１】
ここで、前記吊元側ガイド片は、前記吊元用ガイド溝のみが形成された吊元側専用のガイド片で構成され、前記可動側ガイド片は、前記可動用ガイド溝のみが形成された可動側専用のガイド片で構成されていることが好ましい。
この際、前記吊元側ガイド片および可動側ガイド片は、平面形状または平面サイズの少なくとも一方が異なるものであることがより好ましい。
【００１２】
吊元側ガイド片および可動側ガイド片をそれぞれ専用の部品で構成すれば、両縦框に同じガイド片を誤って取り付けることを効果的に防止でき、現場施工作業性も向上できる。
さらに、各ガイド片の平面形状や平面サイズが異なっていれば、各ガイド片を区別するための視認性が向上し、両縦框に同じガイド片を誤って取り付けることをより一層効果的に防止できる。
【００１３】
また、本発明の折戸は、上枠、下枠および縦枠を枠組みして構成された枠体と、二つ折り可能に構成されて前記枠体内に開閉可能に取り付けられた戸本体とを備えた折戸であって、前記枠体の上枠には、上枠に沿ってレールが設けられ、このレールの両端部には切欠部が形成され、前記戸本体の両端には縦框が設けられ、各縦框の上端部には上戸車が設けられ、前記上戸車は、縦框の上端部に取り付けられたケースと、このケースに対して上下方向に移動可能にかつこの上下方向を回転軸として回動可能に収納されたガイドホルダと、前記ケース内に配置されて前記ガイドホルダを上方に付勢する付勢手段と、前記縦框表面側に露出し、かつ、前記ガイドホルダを前記付勢手段の付勢力に抗して下方に移動可能な操作部材と、前記ガイドホルダに対して着脱可能に取り付けられ、かつ、上面に、一端側のみがガイド片側面に開口され、他端は係止壁部で塞がれている吊元用ガイド溝と、両端がガイド片側面に開口された可動用ガイド溝とが形成されたガイド片とを備えて構成され、前記ガイドホルダは、円筒状に形成されて前記ケースに対して上下方向に移動可能にかつ回動可能に設けられ、かつ、その内部に前記各ガイド片が着脱可能に取り付けられるホルダ本体と、前記ホルダ本体の下方に設けられた円板状のフランジと、フランジから下方に向かって延長され、かつケース下面に係合されてガイドホルダがケースから外れることを防止する係止軸部とを備え、前記付勢手段は、前記フランジおよびケース下面間に介在されたバネで構成され、前記操作部材は、前記フランジの上面に係合する係合突起を備え、前記ガイド片は、前記ガイドホルダ内に挿入されて取り付けられる取付部と、前記ガイドホルダの上面に配置される上面プレート部とを備えて構成され、一方の縦框に設けられた上戸車の前記ガイド片は、ガイドホルダに対して前記吊元用ガイド溝が前記上枠のレールに対して平行となる向きに取り付けられ、前記吊元用ガイド溝に前記レールが配置されて前記係止壁部が前記切欠部に当接することで前記レールに対して移動不能に形成された吊元側ガイド片とされ、他方の縦框に設けられた上戸車の前記ガイド片は、ガイドホルダに対して前記可動用ガイド溝が前記上枠のレールに対して平行となる向きに取り付けられ、前記可動用ガイド溝に前記レールが配置されて前記レールに沿って移動可能に形成された可動側ガイド片とされていることを特徴とする。
【００１４】
吊元用ガイド溝および可動用ガイド溝が形成されたガイド片を用いれば、例えばガイドホルダに対して所定角度回転させるなどして各ガイド溝のいずれか一方を上枠のレールを配置可能な向きに設けることができ、前記ガイド片を吊元側ガイド片および可動側ガイド片として兼用できるので、部品点数を少なくでき、コストも低減できる。
但し、吊元側ガイド片および可動側ガイド片を同一のガイド片で兼用する場合、誤って各縦框とも吊元側ガイド片としてしまうと開閉できなくなり、可動側ガイド片としてしまうと両縦枠とも移動してしまうため、このようなことがないように各ガイド片の取り付け向きに注意しなければならない。このため、前記専用品を用いた方が、誤って両縦框に同じガイド片を取り付けてしまう可能性が低下し、現場施工作業性を向上できる利点がある。
また、付勢手段であるバネによって上方に付勢されているガイドホルダは、係止軸部によってその上方への抜け止めがなされているので、例えば、工場において、戸本体の縦框にケース、バネ、ガイドホルダを組み込んだ状態で、戸本体を輸送、設置でき、作業性や取扱い性を向上できる。
さらに、ガイドホルダに円板状のフランジが形成されているので、縦框の内周面に沿ってガイドホルダが回動しても、前記操作部材の係合突起は常にフランジに係合する位置に配置できる。さらに、操作部材は、その係合突起をフランジに係合させるだけでよいので、操作部材の構成も簡略化できる。
【００１５】
ここで、前記ガイド片は、上面に前記吊元用ガイド溝および可動用ガイド溝が互いに直交して形成されていることが好ましい。
吊元用ガイド溝および可動用ガイド溝が互いに直交して形成されたガイド片を用いれば、ガイドホルダに対して９０度回転させて取り付けるだけで、前記ガイド片を吊元側ガイド片および可動側ガイド片として兼用できるので、部品点数を少なくでき、コストも低減できるとともに、各ガイド溝の向きの設定作業も容易に行うことができる。
【発明を実施するための最良の形態】
【００１８】
以下、本発明の一実施形態を図面に基づいて説明する。
本実施形態は、浴室出入口に設けられる折戸１であり、図１は折戸１を浴室側から見た正面図、図２および３は折戸１の縦断面図および横断面図である。
折戸１は、浴室出入口に固定される枠体１０と、この枠体１０内に配置される２枚の障子２０Ａ，２０Ｂを備えた戸本体２０とを備えて構成されている。
【００１９】
枠体１０は、上枠１１と、下枠１２と、左右の縦枠１３とを四周枠組みして構成されている。上枠１１および下枠１２には戸本体２０を案内するガイドレール１４，１５が設けられている。
ガイドレール１４，１５は、上枠１１、下枠１２の長手方向に連続して形成されているが、各縦枠１３間の長さ寸法（見付け寸法）よりも短くされている。このため、ガイドレール１４，１５の両端と縦枠１３との間には、隙間（図示略）が形成されている。本実施形態では、この隙間によってレールの両端部に形成される切欠部が構成されている。
【００２０】
戸本体２０は、前記２枚の障子２０Ａ，２０Ｂと、これらの各障子２０Ａ，２０Ｂを二つ折り可能に連結する連結框２０Ｃとを備えたものである。
各障子２０Ａ，２０Ｂは、上框２１と、下框２２と、左右の縦框２３，２４とを四周枠組みした内部に面材２５を配置して構成されている。
縦框２３，２４は、戸本体２０の左右両端に設けられる縦框（戸先框）２３と、戸本体２０の見付け方向中央部に設けられて前記連結框２０Ｃで回動自在に連結された縦框（召合せ框）２４とされている。
【００２１】
各縦框２３の上端には、前記ガイドレール１４に沿って移動する上戸車３０が設けられている。
上戸車３０は、ガイドレール１４に沿って摺動される摺動戸車である。そして、戸本体２０の左右の各縦框２３のうち、一方の縦框２３に設けられる上戸車３０Ａはガイドレール１４に沿って移動できないように設けられ、この縦框２３は吊元側（支持軸側）とされている。また、他方の縦框２３に設けられる上戸車３０Ｂはガイドレール１４に沿って摺動移動可能に設けられ、この縦框２３は可動側とされている。
【００２２】
次に、上戸車３０Ａ，３０Ｂの構成について詳細に説明する。
上戸車３０Ａは、図４〜６に示すように、縦框２３の上端内部に取り付けられたケース３１と、ケース３１内に挿入配置されたガイドホルダ３２と、ケース３１内に配置されて前記ガイドホルダ３２を上方に付勢する付勢手段としてのコイルバネ３３と、前記ガイドホルダ３２をコイルバネ３３の付勢力に抗して下方に移動可能な操作部材３４と、ガイドホルダ３２に対して着脱可能に取り付けられた吊元側ガイド片３５とを備えている。
【００２３】
一方、上戸車３０Ｂは、上戸車３０Ａと同様に、ケース３１、ガイドホルダ３２、コイルバネ３３、操作部材３４を備えており、さらに吊元側ガイド片３５の代わりに可動側ガイド片３６を備えている。
【００２４】
ケース３１は、図６に示すように下面部３１１を備えた略中空筒状に形成され、縦框２３の上端内部に挿入固定されている。
ガイドホルダ３２は、図４に示すように、略円筒状に形成されて内部に前記各ガイド片３５，３６が着脱可能に取り付けられるホルダ本体３２１と、前記ホルダ本体３２１の下方に設けられた円板状のフランジ３２２と、フランジ３２２から下方に向かって延長された係止軸部３２３とを備えている。
そして、ガイドホルダ３２は、前記ケース３１内に上下方向に移動可能にかつ回動可能に挿入されている。
【００２５】
ホルダ本体３２１の内周面には、ガイド片３５，３６を上下方向に移動可能に案内する突条部３２１Ａが形成されている。また、ホルダ本体３２１の下端部には、前記ガイド片３５，３６が係止される係止溝３２１Ｂが形成されている。
フランジ３２２は、円板状に形成され、ホルダ本体３２１の下面から所定寸法離れて配置されている。
係止軸部３２３は、コイルバネ３３で付勢されたガイドホルダ３２が、ケース３１から外れないように係止するために設けられている。具体的には、図６にも示すように、係止軸部３２３は下方に向かって延長され、その先端（下端）は二股に分かれている。ケース３１の下面に突出された係止軸部３２３の先端には、係止部３２４が左右方向に突設されており、この係止部３２４をケース３１の下面部３１１に形成された係止穴に係合することで、ガイドホルダ３２はケース３１から抜け出ることがないように係止されている。
【００２６】
コイルバネ３３は、ケース３１内において、前記係止軸部３２３に挿通され、ケース３１の下面部３１１および前記フランジ３２２間に介在されている。
操作部材３４は、縦框２３の側面に形成された開口２３１に対して上下方向に移動可能に取り付けられている。この操作部材３４は、利用者が指を掛けて操作部材３４を押し下げるための操作摘み３４１と、前記フランジ３２２の上面に係合する係合突起３４２とを備えている。
【００２７】
吊元側ガイド片３５は、図４，５に示すように、ガイドホルダ３２内に挿入、取り付けられる取付部３５１と、ガイドホルダ３２の上面に配置される上面プレート部３５２とを備えている。
取付部３５１には、前記突条部３２１Ａに案内される溝部３５１Ａと、前記係止溝３２１Ｂに係合する係合部３５１Ｂとが設けられている。このため、吊元側ガイド片３５は、ガイドホルダ３２に対して回り止めされた状態で着脱可能に取り付けられている。
上面プレート部３５２には、前記ガイドレール１４に係合する吊元用ガイド溝３５３が形成されている。この吊元用ガイド溝３５３は、戸本体２０の見付け方向に沿って形成され、その両端のうち、戸本体２０の内周側の一端側は上面プレート部３５２の端縁まで形成されて上面プレート部３５２の端部に開口されている。一方、吊元用ガイド溝３５３の他端側は、上面プレート部３５２の端縁手前までしか形成されておらず、その端部は係止壁部３５４で塞がれている。
【００２８】
可動側ガイド片３６は、吊元側ガイド片３５と同様に、ガイドホルダ３２内に挿入、取り付けられる取付部３６１と、ガイドホルダ３２の上面に配置される上面プレート部３６２とを備えている。
取付部３６１は、吊元側ガイド片３５の取付部３５１と同一構造であり、突条部３２１Ａに案内される溝部３６１Ａと、前記係止溝３２１Ｂに係合する係合部３６１Ｂを備えている。従って、可動側ガイド片３６もガイドホルダ３２に対して回り止めされた状態で着脱可能に取り付けられている。
上面プレート部３６２は、前記上面プレート部３５２とは平面形状やサイズが異なるとともに、前記ガイドレール１４に係合する可動用ガイド溝３６３が形成されている。この可動用ガイド溝３６３は、戸本体２０の見付け方向に沿って形成され、その両端は上面プレート部３６２の端縁まで形成されて上面プレート部３５２の端部に開口されている。
【００２９】
なお、下戸車は、図示しないが、上戸車３０とほぼ同様に構成されている。すなわち、縦框２３の下端部に取り付けられたケースと、このケースに対して回動自在に取り付けられたガイドホルダと、このガイドホルダに対して着脱可能に取り付けられた吊元側ガイド片および可動側ガイド片とを備えている。また、下戸車には、戸本体２０の荷重を支持しつつ移動できるようにレールに案内される戸車も設けられている。
但し、ガイドホルダおよび各ガイド片をガイドレール側に付勢したり、上下方向に移動する必要がないため、コイルバネや操作部材は設ける必要がない。このため、ガイドホルダと各ガイド片とを一体化し、ケースに対して着脱可能かつ回動自在に取り付けてもよい。
【００３０】
〔折戸の施工手順〕
次に、このように構成された本実施形態の折戸１の施工手順に関して説明する。
まず、工場などにおいて、戸本体２０を製造する際には、図５に示すように、上戸車３０のケース３１、ガイドホルダ３２、コイルバネ３３、操作部材３４は、予め縦框２３に組み付けておく。同様に、下戸車のケース、ガイドホルダも予め縦框２３に組み付けておく。
なお、上戸車３０および下戸車の吊元側ガイド片３５、可動側ガイド片３６は、折戸１の施工現場において、吊元側が戸本体２０の左右どちらの縦框２３となるかを確認した後、各ガイドホルダ３２に取り付ければよい。
【００３１】
そして、枠体１０を浴室開口部に取り付けた後、吊元側ガイド片３５、可動側ガイド片３６を取り付けた戸本体２０を枠体１０に取り付ける。
すなわち、図６（Ｂ）に示すように、操作部材３４で上戸車３０をコイルバネ３３に抗して下方に押し下げた状態で、戸本体２０の下戸車をガイドレール１５に係合する。次いで、戸本体２０を垂直に配置した後、図６（Ａ）に示すように、前記上戸車３０を上方に戻して各吊元用ガイド溝３５３、可動用ガイド溝３６３をガイドレール１４に係合する。
【００３２】
この際、上戸車３０Ａの吊元側ガイド片３５は、前記吊元用ガイド溝３５３の係止壁部３５４が、ガイドレール１４の端面に当接する位置に配置される。このため、吊元側ガイド片３５はガイドレール１４に対して移動不可能に取り付けられることになるので、吊元側ガイド片３５が取り付けられた縦框２３は吊元側の縦框２３となる。
一方、上戸車３０Ａの可動側ガイド片３６は、ガイドレール１４に対して移動可能であるため、可動側ガイド片３６が取り付けられた縦框２３は可動側の縦框２３となる。
なお、下戸車においても、吊元側ガイド片はガイドレール１５に対して移動不可能に取り付けられるため、吊元側の縦框２３に取り付けられる。また、可動側ガイド片はガイドレール１５に対して移動可能であるため、可動側の縦框２３に取り付けられる。
【００３３】
〔折戸の開閉時の動作〕
折戸１の通常使用時には、可動側の縦框２３を吊元側に移動すれば、可動側ガイド片３６はガイドレール１４に沿って移動する。この際、各縦框２３は上戸車３０、下戸車に対して回動する。このため、各障子２０Ａ，２０Ｂは、各縦框２３を回動軸にしてガイドレール１４，１５に対して浴室内に傾斜し、戸本体２０は連結框２０Ｃ部分で二つ折りされ、折戸１は開かれる。折戸１を閉める場合には、上記と逆の操作を行えばよい。
【００３４】
〔事故時の折戸の取外作業〕
また、万一、浴室内で事故が発生したために、折戸１を取り外す必要がある場合には、作業者は操作摘み３４を操作し、ガイドホルダ３２および吊元側ガイド片３５や可動側ガイド片３６を押し下げる。これにより、ガイドレール１４と各ガイド片３５，３６との係合状態が解除されるので、戸本体２０を枠体１０から取り外すことができる。
なお、浴室内の人を救出した後は、取外作業と逆の手順（ドア施工時と同様の手順）で戸本体２０を取り付ければよい。
【００３５】
このような本実施形態によれば、以下のような効果がある。
(1) 上枠１１のガイドレール１４の端面と縦枠１３間に隙間（切欠部）を設けているので、吊元用ガイド溝３５３を有する吊元側ガイド片３５を前記レール１４の端面に係合させるだけで吊元側ガイド片３５および縦框２３をレール１４に沿った方向に移動不能にできる。このため、従来のように摺動部材を上枠にビス止めする必要がないため、現場施工作業を簡略化できる。
【００３６】
(2) ガイドホルダ３２に対して吊元側ガイド片３５、可動側ガイド片３６を着脱可能に構成したので、戸本体２０において、吊元側および可動側の縦框２３を変更する場合も、各ガイド片３５，３６のみを交換するだけでよく、簡単な作業で変更できる。
また、仮に各ガイド片とガイドホルダとが一体化されている場合には、吊元側および可動側を交換する場合、操作部材３４を取り外してガイドホルダを縦框２３から取り外して交換しなければならず、作業が繁雑になるとともに、操作部材３４を紛失し易いという問題がある。これに対し、本実施形態では、ガイドホルダ３２を取り外す必要がないため、操作部材３４は縦框２３に取り付けたままでガイド片３５，３６を交換でき、その分、作業が簡易になり、操作部材３４の紛失も防止できる。
【００３７】
(3) さらに、折戸１は、吊元側ガイド片３５、可動側ガイド片３６を取り付ける縦框２３を選択することで、脱衣室側から見て左側の縦框２３を吊元側にすることも、右側の縦框２３を吊元側にすることもできる。従って、各ガイド片３５，３６を現場で取り付けたり、交換するようにすれば、工場で戸本体２０を製造する場合には、吊元側が左右の縦框２３のいずれであっても共通した戸本体２０を製造でき、生産性を向上できる。
【００３８】
(4) 吊元側ガイド片３５および可動側ガイド片３６をそれぞれ専用の部品で構成しているので、両縦框２３に同じガイド片を誤って取り付けることを効果的に防止でき、作業者の確認作業の負担も軽減できるので、現場施工作業性も向上できる。
さらに、本実施形態では、各ガイド片３５，３６の平面形状や平面サイズが異なっているので、各ガイド片３５，３６の視認性を向上できて作業者はその違いを容易に把握でき、両縦框２３に同じガイド片を誤って取り付ける誤装着を効果的に防止できる。
【００３９】
(5) 浴室内で事故が発生した場合には、操作部材３４を下方に移動して各ガイド片３５，３６をガイドレール１４から外すことで、簡単な作業で戸本体２０を枠体１０から取り外すことができ、容易に救出することができる。
【００４０】
(6) ガイドホルダ３２は、係止軸部３２３によって上方への抜け止めがなされているので、戸本体２０の縦框２３にケース３１、ガイドホルダ３２、コイルバネ３３、操作部材３４を組み込んだ状態で、戸本体２０を輸送、設置できる。このため、戸本体２０の施工作業性や取扱い性を向上できる。
また、ガイドホルダ３２に円板状のフランジ３２２が形成されているので、縦框２３の内周面に沿ってガイドホルダ３２が回動しても、前記操作部材３４の係合突起３４２は常にフランジ３２２に係合する位置に配置できる。さらに、操作部材３４は、その係合突起３４２をフランジ３２２に係合させるだけでよいので、操作部材３４の構成も簡略化できる。
【００４１】
なお、本発明は、前記実施形態に限定されるものではない。
例えば、前記実施形態では、吊元側ガイド片３５、可動側ガイド片３６は、それぞれ専用のガイド片を用いていたが、吊元側および可動側に兼用できるガイド片３７を用いてもよい。ガイド片３７は、図７，８に示すように、上面プレート部３７２に、吊元用ガイド溝３５３および可動用ガイド溝３６３が直交して形成されたものである。そして、ガイドホルダ３２は、図７に示すように、吊元用ガイド溝３５３がガイドレール１４に沿った方向となる向きと、図８に示すように、可動用ガイド溝３６３がガイドレール１４に沿った方向となる向きとに、ガイド片３７を取り付けることができるように構成されている。
【００４２】
図７に示すように、吊元用ガイド溝３５３をガイドレール１４に沿った方向に向ければ、ガイドレール１４と縦框２３間の隙間１４１部分に係止壁部３５４が配置される。このため、ガイド片３７は係止壁部３５４がガイドレール１４の端面に当接し、ガイドレール１４に沿った方向に移動不可能となる。従って、図７のガイド片３７は、吊元側ガイド片として利用される。
一方、図８に示すように、可動用ガイド溝３６３をガイドレール１４に沿った方向に向ければ、ガイド片３７はガイドレール１４に沿った方向に移動可能となる。このため、図８のガイド片３７は、可動側ガイド片として利用される。
【００４３】
なお、各ガイド片３７が吊元側ガイド片として設置されているのか、可動側ガイド片として設置されているのかを視認できるように、ガイド片３７の側面にその向きに応じて異なるマーク３７３を付けておくことが好ましい。
【００４４】
このような吊元側および可動側で兼用できるガイド片３７を用いれば、吊元側ガイド片３５、可動側ガイド片３６を用いる場合に比べて、ガイド片３７の種類を１種類にできて生産効率を向上できる利点がある。但し、前記実施形態のように専用品を用いたほうが、誤装着を防止しやすい利点がある。
なお、１つのガイド片に吊元用ガイド溝および可動用ガイド溝を設ける場合には、各ガイド溝を直交配置する場合に限らない。すなわち、各ガイド溝は所定の角度で交差するように形成してもよいし、交差しないように形成してもよい。要するに、ガイドホルダ３２に対する取付方向（角度）や取付位置などを変更することで、ガイドレール１４を吊元用ガイド溝に配置する場合と、可動側ガイド溝に配置する場合とに切り替えることができるように構成されていればよい。
【００４５】
前記実施形態では、ガイドレール１４の両端と縦枠１３との間に隙間を設けてガイドレール１４の切欠部としていたが、切欠部はこの構成に限定されず、ガイドレール１４の端部近傍に所定幅の切り込み（凹部）を設けて切欠部としてもよい。要するに、切欠部は、吊元用ガイド溝の係止壁部を係止してガイドレールに対して吊元側ガイド片を移動不可能にできるものであればよい。
【００４６】
さらに、ガイドホルダ３２、コイルバネ３３、操作部材３４の具体的な構成、形状などは前記実施形態のものに限らない。例えば、付勢手段としてはコイルバネに限定されず、他のバネ材を用いてもよい。
本発明の折戸は、緊急に戸本体２０を取り外すことができる点で浴室ドア用に最も適しているが、例えば、居室の出入口に設けられるドアなどに用いられる折戸にも適用できる。すなわち、本発明は、浴室ドアに限らず、各居室のドア等の折戸に適用することもできる。
【図面の簡単な説明】
【００４７】
【図１】本発明の実施形態にかかる折戸の浴室側を示す正面図。
【図２】前記折戸の概略縦断面図。
【図３】前記折戸の概略横断面図。
【図４】前記折戸の上戸車の構成を示す分解斜視図。
【図５】前記折戸の上戸車においてガイド片のみを取り外した状態を示す斜視図。
【図６】前記上戸車の縦断面図であり、（Ａ）はガイドホルダがコイルバネで付勢された状態の断面図、（Ｂ）はガイドホルダを下方に移動した状態の断面図。
【図７】本発明の変形例において吊元側ガイド片として設けた状態を示す斜視図。
【図８】本発明の変形例において可動側ガイド片として設けた状態を示す斜視図。
【符号の説明】
【００４８】
１…折戸、１０…枠体、１１…上枠、１３…縦枠、１４，１５…ガイドレール、２０…戸本体、２０Ａ，２０Ｂ…障子、２０Ｃ…連結框、２１…上框、２３…縦框、３０，３０Ａ，３０Ｂ…上戸車、３１…ケース、３２…ガイドホルダ、３３…コイルバネ、３４…操作部材、３５…吊元側ガイド片、３６…可動側ガイド片、３７…ガイド片、１４１…隙間、３２１…ホルダ本体、３２２…フランジ、３２３…係止軸部、３４２…係合突起、３５１…取付部、３５２…上面プレート部、３５３…吊元用ガイド溝、３５４…係止壁部、３６１…取付部、３６２…上面プレート部、３６３…可動用ガイド溝、３７２…上面プレート部、３７３…マーク。
【図１】
0004551859.tif 000002
【図２】
0004551859.tif 000003
【図３】
0004551859.tif 000004
【図４】
0004551859.tif 000005
【図５】
0004551859.tif 000006
【図６】
0004551859.tif 000007
【図７】
0004551859.tif 000008
【図８】
0004551859.tif 000009